(57)【特許請求の範囲】
【請求項１】
トレイを備える用紙積重ね装置に適用する用紙受取り装置であって、
用紙排出装置から用紙を受取るように前記装置を前記用紙排出装置の出口付近に協働可能に配置する手段と、
トレイの上方で用紙の搬送方向に対して横向きに往復運動可能な一対のプレートを含む用紙受取り手段であって、前記一対のプレートは、その上に前記用紙を前記トレイから離隔した状態で支持可能な閉位置と、横向きに離反してその上の用紙を前記トレイ上に落下させることが可能な開位置との間で往復運動可能である、該用紙受取り手段と、
前記プレートに対して往復運動可能な用紙ジョグ（ｊｏｇｇｉｎｇ）手段と、  前記用紙ジョグ手段及び前記一対のプレートを独立して往復運動させるモータ手段とを含み、
前記一対のプレートが開位置になるときに、前記用紙ジョグ手段が用紙の端を揃える位置を変更することによって、用紙の束をトレイ上のオフセットして積載可能であることを特徴とする用紙受取り装置。
【請求項２】
前記ジョグ手段が、前記プレート上をスライド可能な部材を含むことを特徴とする請求項１に記載の用紙受取り装置。
【請求項３】
前記ジョグ部材が、前記プレートの上部表面にある溝部分の前期プレート上をスライドすることを特徴とする請求項１に記載の用紙受取り装置。
【請求項４】
前記モータ手段が、ジョグ部材を往復運動させる第１モータ手段、及び前記プレートを往復運動させる第２モータ手段を含むことを特徴とする請求項１に記載の用紙受取り装置。
【請求項５】
前記第１モータ手段が、ステップモータであることを特徴とする請求項４に記載の用紙受取り装置。
【請求項６】
前記モータ手段が、ジョグ部材を往復運動させる第１モータ手段と、前記プレートを往復運動させる第２モータ手段と、前記第１及び第２モータ手段に応答する前記ジョグ部材及び前記プレートを移動させる歯車装置とを備えることを特徴とする請求項１に記載の用紙受取り装置。
【請求項７】
前記モータ手段が、ジョグ部材を往復運動させる第１モータ手段と、前記プレートを往復運動させる第２モータ手段と、前記第１及び第２モータ手段に応答する前記ジョグ部材及び前記プレートを移動させる歯車装置であって、前記歯車装置がもう一方の歯車装置と軸を共有するように延長したシャフトを含む該歯車装置とを備えることを特徴とする請求項１に記載の用紙受取り装置。
【請求項８】
前記プレートが互いに離れる方向に往復運動をする前に、前記一対のプレート上に支持された用紙のセットをバインディングするバインディング手段を備えることを特徴とする請求項１に記載の用紙受取り装置。
【請求項９】
前記ジョグ部材が用紙の端と位置が揃って掛かり合う一方、前記プレートが互いに離れる往復運動をする前に、前記一対のプレート上に支持された用紙のセットをバインディングするバインディング手段を備えることを特徴とする請求項１に記載の用紙受取り装置。
【請求項１０】
前記ジョグ部材が用紙の端と位置が揃って係合し、用紙のセットを仕上げ手段の中に移動させたり仕上げ手段の外に移動させたりする一方、前記プレートが互いに離れる往復運動をする前に、前記一対のプレート上に支持された用紙のセットを仕上げる仕上げ手段を含むことを特徴とする請求項１に記載の用紙受取り装置。
【発明の詳細な説明】
【０００１】
【発明の属する技術分野】
本発明は、プリンタ及びコピー機から排出される用紙を受取り、その用紙をトレイの中または上に積重ねる用紙受取り装置に関する。
【０００２】
【従来の技術】
従来の技術により、受取りトレイの中または上への用紙の積重ねを容易にする種々の方式やシステムがあり、以下の従来技術を含む。
【０００３】
１９９７年７月７日にＬａｗｒｅｎｃｅ氏に付与された特許５，６４９６９５に、コピー機及びプリンタ用の連続仕上げ装置が開示されている。この連続仕上げ装置では、ホストマシンから排出された用紙が、格納式棚の上のトレーリングエッジ（ｔｒａｉｌｉｎｇ  ｅｄｇｅ）及び横方向にシフト可能な機構の上のリーディングエンド（ｌｅａｄｉｎｇ  ｅｎｄ）によって支持される。用紙のセットが仕上げられた後、この棚が格納され、横方向にシフトする機構が開くことによって、用紙がスタッカー（ｓｔａｃｋｅｒ）の上に落ちる。
【０００４】
１９９８年５月１４日にＣｏｏｍｂｓ氏によって出願され、出願中の通し番号０９／０７８，２０２に含まれている仕上げ装置は、垂直方向に間隔を置いて配置された幾つかのトレイを横方向に回動可能であり、用紙のステープル（ｓｔａｐｌｅ）綴じまたはバインディングによる仕上げ中に、用紙が順次下方向のスタッカーに移動することを可能にしている。
【０００５】
本質において、従来の技術が、用紙を支持し、バインディングまたはステープル綴じするように用紙のセットを装置の上に積重ね、その装置が用紙のセットを仕上げ、その用紙をスッタカーまたはレシーバーに移動させることは公知である。詳細には、１９９５年１月３１日にＨｉｒｏｉ氏らに付与された特許５，３８５，３４０に開示されている。その中では、一部はスタッカー、一部は棚によって支持されて用紙が一まとめに整列され、そして仕上がった用紙がそこから押され完全にスタッカーの上に収まることを示している。
【０００６】
【発明が解決しようとする課題】
コピー機またはプリンタから排出された用紙をスタッカーに積重ねする技術では通例である、用紙のセットがスタッカートレイに積重ねられるとスタッカートレイが順次垂直方向下向きに移動する種々のスタッカー形式に適用できる用紙受取り装置を提供することである。
【０００７】
【課題を解決するための手段】
本発明の用紙受取り装置が、コピー機あるいはプリンタから順次排出される用紙を、一対のプレートの上で押すことでその用紙の端を合わせることができ、水平方向にシフト可能なその一対の支持プレートの上に受取るように適合されている。本発明の１つの形態ではステープル綴じであり、用紙が垂直方向に同じ位置に積まれるか或いはオフセットして積まれるか、いかなる場合も通常のスタッカートレイの上に落下する。
【０００８】
詳細には、種々のスタッキングベース（ｓｔａｃｋｉｎｇ  ｂａｓｅ）に適合可能であり、ステープル綴じ或いはステープル綴じでない場合も、用紙スタッカー上で受取り、整列、積重ねの機能を果たす汎用用紙受取り装置を提供することである。
【０００９】
本発明の他の目的は、以下の説明及び添付の図面から明らかとなるであろう。
【００１０】
【発明の実施の形態】
図１に示されるように、スタッカーＳが、標準スタッカーのロールアップベース（ｒｏｌｌ  ｕｐ  ｂａｓｅ）Ｂの上に取着される。好適な制御システムの制御のもとベルト１上を上下方向に移動するようスタッカートレイＴがこのロールアップベース上に取着される。この制御システムは、公知であり、用紙または用紙のセットが、プリンタ或いはコピー機Ｐが動作中にトレイＴの上に積重ねられると、トレイＴが順次下がるように適合されている。また、用紙は送り（ｉｎｆｅｅｄ）２を通って矢印の方向に送られ、本発明の用紙受取り装置Ｒの中に入る。
【００１１】
図２及び図４を参照すると、適切な支持部材３及び留め具４によってスタッカーＳに選択的に結合される２つの正反対に構成された用紙側面支持プレート６が示されている。各用紙支持手段または構造が、フレーム支承ベース５を含み、その下部が、モータ１によってプレート５の下から延出されたり格納されたりするように適合された支持プレート６に取着されている。モータＭ２はステップモータであり、ジョグ部材７を内側及び外側に移動させる。
【００１２】
モータＭ１は、可逆性であり、一対のラックを通るまたは他の同等の手段により、歯車９及び１０により用紙支持プレート６を延出するよう適合されている。歯車１０は、ラック８に掛かりプレート６の延出及び格納を可能にしている。モータＭ２は、ラック１２と係合する歯車１１を回転させることによる、または同等の手段により、ジョグ部材７の延出及び格納を可能にしている。
【００１３】
例示された好適な方式によれば、電動駆動歯車９が、外側のシャフト１３（図５のＢ及びＣ参照）に取着されたそれぞれの歯車に係合している。内側のシャフト１４は、モータＭ１及びＭ２によってジョグ部材７を延出したり格納したりするように延出している。
【００１４】
図５のＡを参照すると、ジョグ部材７が格納された位置で示されている一方、プレート６は、延出した位置で示されている。プレート６が６ａで溝が彫られることによって、ジョグ部材７がプレート（図５のＢでは６ｂとして示されている）頂部表面より下に延出可能となっている。適格な留め具１５が、ベースプレート５のスロット１６を通って下方に延出するラック８の部分に、用紙支持プレート６を結合させる。
【００１５】
類似の構造が、図４に示される装置側と対向する側に位置する。
【００１６】
用紙ＳＴのセットを受取る及びオフセットする目的のための構造の動作方式が、図７のＡ―Ｅに示されている。用紙がコピー機あるいはプリンタＰから排出されるとき、どちらの側の装置でもプレート６が対向側に延出することにより、用紙のセットがプレート６によって支えられる。
【００１７】
スタッカートレイＴが、用紙受取り装置Ｒから独立し、用紙のセットがトレイＴ上に積重ねられると順次下方向に移動するように適合されている。
【００１８】
図７のＢに示されているように、ジョグ部材７が、延出及び格納可能なプレート６の上に支持される用紙のセットに接触し、用紙の端を整列するように相互に近づく方向に移動する。
【００１９】
しかしながら、図７のＣによれば、通常のスタッカートレイの制御手段によりスタッカートレイＴが下方に移動すると、プレート６が格納され、用紙のセットがその前に積重ねされた用紙のセットの上にオフセットされた位置に重力により落下する。
【００２０】
図７のＤに示されるように、用紙のセットが、トレイＴが下方に移動することによって、押されてオフセットされた位置でその前に積重ねられた用紙のセットの上に落下することが可能である。
【００２１】
図７のＥに示されるように、用紙支持プレート６が、次ぎの用紙のセットを受取る準備として、互いに近づいた位置に再び戻る。
【００２２】
図８のＡ―Ｅに示されるように、受取り装置の動作が単純に、連続する用紙のセットを受取るように機能し、用紙のセットの端が合うように押し、続いて用紙のセットを落下させ、その用紙がもう一方の用紙の上方に垂直方向に整列して積み重ねられる。
【００２３】
図９及び図１０を参照すれば、装置が、プレート６からスタッカートレイＴに落下する前に用紙をステープル綴じするまたは仕上げる手段を含むことが示されている。
【００２４】
本実施例によれば、ステープラ（ＳＴＡＰＬＥＲ）を収納するようにフレームプレート５の支持構造が形成され、上部マウンティングブラケット２０が、好適な留め具２１を用いてプレート５を支持し、留め具４ａでブラケット２０を支持構造３に結合させる。
【００２５】
さらに、ブラケット２０が、留め具２２の手段によってステープラを支持する。
【００２６】
前述の用紙のセットＳＴが、ステップモータＭ２及びジョグ部材７によって移動可能であり、図９に示されるように用紙のセットが破線の位置にあるとき用紙のセットを２４で示されているステープルでステープル綴じができるように、ステープラのスロット２３の中に用紙のセットＳＴを移動させることが可能である。したがって、用紙がステープラスロット或いはのど部（ｔｈｒｏａｔ）から用紙をオフセットして或いはオフセットしないでスタッカートレイＴに積重ねられるプレート６が開可能な位置に移動するようにジョグ部材７が元の位置に戻ることが可能である。しかし、スタッカートレイの用紙最大支持能力で、ステープルの厚さの影響を最小とするためにオフセットして積重ねられるのが望ましい。
【００２７】
図９及び図１０に例示された実施例によれば、プレート６の延出及び格納ならびにジョグ部材７の延出及び格納の機構は、前述の説明と同様のものであることがわかるであろう。また、受取り装置の入り口部分の対向側にある装置に対して延出及び格納可能なたった１つのジョグ部材７を提供するようにジョグ構造を変更することも本発明の範囲内で可能である。
【００２８】
装置の構造または装置のパーツの配置におけるその他の変更及び改良が可能である。
【００２９】
【発明の効果】
コピー機またはプリンタから排出された用紙をスタッカーに積重ねする技術では通例である、用紙のセットがスタッカートレイに積重ねられるとスタッカートレイが順次垂直方向下向きに移動する種々のスタッカー形式に適用できる用紙受取り装置を提供することである。
【図面の簡単な説明】
【図１】コピー機あるいはプリンタで使用するように適合され、本発明の用紙受取り装置に組み入れられた用紙積重ね装置の側面図である。
【図２】カバーが取り除かれた用紙受取り装置の平面図である。
【図３】図２の線３―３に沿った側面図である。
【図４】用紙支持プレートが十分に延出した装置の片側の拡大平面図である。
【図５】ＡからＣよりなり、Ａは図４の線５Ａ―５Ａの垂直断面図であり、Ｂは図４の線５Ｂ―５Ｂの垂直断面図であり、Ｃは用紙支持プレートが格納されている図４に対応する垂直断面図である。
【図６】図４の線６―６に沿った用紙受取り装置の一部の側面図である。
【図７】ＡからＥよりなり、それぞれがオフセットした用紙のセットを受取り積重ねる用紙受取り装置の一連の動作を表す断面図である。
【図８】ＡからＥよりなり、図７に対応し、それぞれがオフセットしないで用紙のセットを積重ねる用紙受取り装置の一連の動作を表す断面図である。
【図９】装置の角に用紙をステープル綴じする手段を備える変更された用紙受取り装置のカバーを取り外した平面図である。
【図１０】図９に対応する側面図である。
【符号の説明】
１  ベルト
２  送り
３  支持部材
４  留め具
４ａ  留め具
５  支承ベース
６  支持プレート
７  ジョグ部材
８  ラック
９  歯車
１０  歯車
１３  外側のシャフト
１４  内側のシャフト
１５  留め具
１６  スロット
２０  上部マウンティングブラケット
２２  留め具
【図１】
0004210814.tif 000002
【図２】
0004210814.tif 000003
【図３】
0004210814.tif 000004
【図４】
0004210814.tif 000005
【図５】
0004210814.tif 000006
【図６】
0004210814.tif 000007
【図７】
0004210814.tif 000008
【図８】
0004210814.tif 000009
【図９】
0004210814.tif 000010
【図１０】
0004210814.tif 000011